(57)【特許請求の範囲】
【請求項１】
集積回路であって、
第１の電圧源によって電力供給されるように構成された第１の回路と、
第２の電圧源によって電力供給されるように構成された第２の回路と、
デカップリングコンデンサと、
前記第１の電圧源と前記第２の電圧源との間で前記デカップリングコンデンサをスイッチするように構成されたコントローラと、
を備え、前記コントローラが、
前記デカップリングコンデンサと前記第１の電圧源との間の第１のスイッチ回路と、
前記デカップリングコンデンサと前記第２の電圧源との間の第２のスイッチ回路と、
前記第１のスイッチ回路と前記第２のスイッチ回路とを制御するように構成されたスイッチデコーダと、ここにおいて、前記第１のスイッチ回路および前記第２のスイッチ回路の各々が可変抵抗を備え、前記スイッチデコーダが、第１の抵抗を通して前記第１の電圧源から前記デカップリングコンデンサを充電するように前記第１のスイッチ回路を制御し、第２の抵抗を通して、前記充電されたデカップリングコンデンサから前記第２の回路に電流を供給するように前記第２のスイッチ回路を制御する、ようにさらに構成され、前記第１のスイッチ回路の前記制御時の前記第１の抵抗が前記第２のスイッチ回路の前記制御時の前記第２の抵抗よりも高い、
を備える、集積回路。
【請求項２】
前記スイッチデコーダは、前記第１の回路がアクティブモードにあり、前記第２の回路がスリープモードにある間、前記第１の電圧源から前記デカップリングコンデンサを充電するように前記第１のスイッチ回路を制御し、前記第２の回路が前記スリープモードからアクティブモードに遷移するとき、前記充電されたデカップリングコンデンサから前記第２の回路に電流を供給するように前記第２のスイッチ回路を制御する、ようにさらに構成された、請求項１に記載の集積回路。
【請求項３】
前記第１のスイッチ回路および前記第２のスイッチ回路の各々が、それの前記抵抗を変化させるように前記スイッチデコーダによってそれぞれ独立して制御可能な複数の並列のトランジスタを備える、請求項１に記載の集積回路。
【請求項４】
集積回路であって、
データを処理するための第１の処理手段、ここで、前記第１の処理手段が、第１の電圧源によって電力供給されるように構成される、と、
データを処理するための第２の処理手段、ここで、前記第２の処理手段が、第２の電圧によって電力供給されるように構成される、と、
前記第１の処理手段と前記第２の処理手段とをデカップリングするためのデカップリング手段と、
前記第１の電圧源と前記第２の電圧源との間で前記デカップリング手段をスイッチするための手段と、
を備え、スイッチするための前記手段が、
前記デカップリング手段と前記第１の電圧源との間の接続を制御するための第１のスイッチング手段と、
前記デカップリング手段と前記第２の電圧源との間の接続を制御するための第２のスイッチ手段と、
前記第１のスイッチ手段と前記第２のスイッチ手段とを制御するための手段と、ここにおいて、前記第１のスイッチング手段および前記第２のスイッチング手段の各々が可変抵抗を備え、前記第１のスイッチ手段と前記第２のスイッチ手段とを制御するための前記手段は、第１の抵抗を通して前記第１の電圧源から前記デカップリング手段を充電するように前記第１のスイッチング手段を制御し、第２の抵抗を通して、前記充電されたデカップリング手段から前記第２の処理手段に電流を供給するように前記第２のスイッチ手段を制御する、ようにさらに構成され、前記第１のスイッチング手段の前記制御時の前記第１の抵抗が前記第２のスイッチ手段の前記制御時の前記第２の抵抗よりも高い、
を備える、集積回路。
【請求項５】
前記第１のスイッチ手段と前記第２のスイッチ手段とを制御するための前記手段は、前記第１の処理手段がアクティブモードにあり、前記第２の処理手段がスリープモードにある間、前記第１の電圧源から前記デカップリング手段を充電するように前記第１のスイッチング手段を制御し、前記第２の処理手段が前記スリープモードからアクティブモードに遷移するとき、前記充電されたデカップリング手段から前記第２の処理手段に電流を供給するように前記第２のスイッチ手段を制御する、ようにさらに構成された、請求項４に記載の集積回路。
【請求項６】
前記第１のスイッチング手段および前記第２のスイッチング手段の各々が、それの前記抵抗を変化させるように、前記第１のスイッチ手段と前記第２のスイッチ手段とを制御するための前記手段によってそれぞれ独立して制御可能な複数の並列のトランジスタを備える、請求項４に記載の集積回路。
【請求項７】
第１の回路と第２の回路とをデカップリングする方法であって、
第１の電圧源によって電力供給される前記第１の回路を用いてデータを処理することと、
第２の電圧によって電力供給される前記第２の回路を用いてデータを処理することと、
前記第１の電圧源と前記第２の電圧源との間でデカップリングコンデンサをスイッチすることと、
を備え、
前記デカップリングコンデンサが、第１のスイッチング回路を用いて前記デカップリングコンデンサと前記第１の電圧源との間の接続を制御することと、第２のスイッチング回路を用いて前記デカップリングコンデンサと前記第２の電圧源との間の接続を制御することと、によってスイッチされ、前記第１のスイッチング回路および前記第２のスイッチング回路の各々が可変抵抗を備え、前記デカップリングコンデンサと前記第１の電圧源との間の前記接続が、第１の抵抗を通して前記第１の電圧源から前記デカップリングコンデンサを充電するように制御され、前記デカップリングコンデンサと前記第２の電圧源との間の前記接続が、第２の抵抗を通して、前記充電されたデカップリングコンデンサから前記第２の回路に電流を供給するように制御され、前記デカップリングコンデンサと前記第１の電圧源との間の前記接続の前記制御時の前記第１の抵抗が前記デカップリングコンデンサと前記第２の電圧源との間の前記接続の前記制御時の前記第２の抵抗よりも高い、
方法。
【請求項８】
前記デカップリングコンデンサと前記第１の電圧源との間の前記接続は、前記第１の回路がアクティブモードにあり、前記第２の回路がスリープモードにある間、前記第１の電圧源から前記デカップリングコンデンサを充電するように制御され、前記デカップリングコンデンサと前記第２の電圧源との間の前記接続は、前記第２の回路が前記スリープモードからアクティブモードに遷移されるとき、前記充電されたデカップリングコンデンサから前記第２の回路に電流を供給するように制御される、請求項７に記載の方法。
【請求項９】
前記第１のスイッチング回路および前記第２のスイッチング回路の各々が、それの前記抵抗を変化させるようにそれぞれ独立して制御可能な複数の並列のトランジスタを備える、請求項７に記載の方法。
【発明の詳細な説明】
【技術分野】
【０００１】
関連出願の相互参照
[0001]本出願は、その全体が参照により本明細書に明確に組み込まれる、２０１４年４月１６日に出願された「SWITCHABLE DECOUPLING CAPACITORS」と題する米国特許出願第１４／２５４，８７２号の利益を主張する。
【０００２】
[0002]本開示は、一般に電子回路に関し、より詳細には、スイッチ可能デカップリング（decoupling）コンデンサに関する。
【背景技術】
【０００３】
[0003]集積回路のための製造プロセスにおける最近の進歩により、設計者は、「システムオンチップ」（ＳＯＣ）として知られる単一のモノリシック集積回路上にコンピュータまたは他の電子システムのすべての構成要素を集積することができるようになった。これらの集積回路は、セルラーフォン、スマートフォン、携帯情報端末、組込みシステム、ラップトップコンピュータ、メディアプレーヤ、電子ゲームシステム、全地球測位システム、センサー、または他の好適なデバイスなど、モバイルバッテリー電源式デバイス中でしばしば使用される。デバイスに応じて、ＳＯＣは、様々な機能を実行する様々なデジタルおよびアナログ回路を含み得る。たとえば、ＳＯＣは、プロセッサ、コントローラ、グラフィックス、ビデオ回路、オーディオ回路、ワイヤレスモデム、ネットワーキング回路、メモリ、周辺インターフェース回路、バスインターフェース回路、センサー、検出器、ユーザインターフェース、および／または他の好適な回路を含み得る。
【０００４】
[0004]より多くの処理能力に対する需要が拡大し続けるにつれて、電力消費を低減し、それによってモバイルデバイスにおけるバッテリー寿命を節約するための効果的な電力管理システムの必要がますます増加している。様々な技法が採用されてきた。１つのそのような技法は、使用していないときに、いくつかの回路を低電力またはスリープモードで動作させることを伴う。この技法は、電力消費を低減するが、回路がスリープモードからアクティブモードに遷移するとき、過渡電圧レベルに悪影響を及ぼし得る。詳細には、遷移する回路によって必要とされる電流の瞬間的な増加により、ＳＯＣ上の他の回路に対する急激な電圧降下が生じることがある。他の回路にわたって一定の電圧を維持するのを助けるために、遷移する回路にこの電流を供給するためにデカップリングコンデンサがしばしば使用される。しかしながら、デカップリングコンデンサはＳＯＣ上のかなりの量の表面積を占有する。したがって、当技術分野では、過渡電圧レベルの変動を低減する、小さいフットプリントをもつデカップリングコンデンサが必要である。
【発明の概要】
【０００５】
[0005]集積回路の態様を開示する。本集積回路は、第１の電圧源によって電力供給されるように構成された第１の回路と、第２の電圧源によって電力供給されるように構成された第２の回路と、デカップリングコンデンサと、第１の電圧源と第２の電圧源との間でデカップリングコンデンサをスイッチするように構成されたコントローラとを含む。
【０００６】
[0006]集積回路のさらなる態様を開示する。本集積回路は、データを処理するための第１の処理手段と、第１の処理手段が、第１の電圧源によって電力供給されるように構成された、データを処理するための第２の処理手段と、第２の処理手段が、第２の電圧によって電力供給されるように構成された、第１の回路手段と第２の回路手段とをデカップリングするためのデカップリング手段と、第１の電圧源と第２の電圧源との間でデカップリング手段をスイッチするための手段とを含む。
【０００７】
[0007]第１の回路と第２の回路とをデカップリングする方法の態様は、第１の電圧源によって電力供給される第１の回路を用いてデータを処理することと、第２の電圧によって電力供給される第２の回路を用いてデータを処理することと、第１の電圧源と第２の電圧源との間でデカップリングコンデンサをスイッチすることとを含む。
【０００８】
[0008]装置および方法の様々な態様が例として図示および説明される、以下の発明を実施するための形態から、当業者には装置および方法の他の態様が容易に明らかになることを理解されたい。了解されるように、これらの態様は他の異なる形態で実装され得、それのいくつかの詳細は様々な他の点において変更が可能である。したがって、図面および発明を実施するための形態は、本質的に例示的なものと見なされるべきであり、限定的なものと見なされるべきではない。
【０００９】
[0009]次に、添付の図面を参照しながら、限定としてではなく例として、発明を実施するための形態において装置および方法の様々な態様を提示する。
【図面の簡単な説明】
【００１０】
【図１】[0010]システムオンチップ（ＳＯＣ）の例示的な実施形態の概念図。
【図２】[0011]ＳＯＣ上でデカップリングコンデンサを共有する異なる電力領域中で動作している第１の回路および第２の回路の例示的な実施形態を示す機能ブロック図。
【図３Ａ】[0012]アクティブモードとスリープモードとの間で第１の回路をスイッチするときのコントローラの例示的な実施形態の動作を示すフローチャート。
【図３Ｂ】[0013]アクティブモードとスリープモードとの間で第２の回路をスイッチするときのコントローラの例示的な実施形態の動作を示すフローチャート。
【図４】[0014]コントローラの例示的な実施形態の概略図。
【図５】[0015]可変抵抗スイッチをもつコントローラの例示的な実施形態の概略図。
【図６】[0016]第１の回路と第２の回路とをデカップリングする方法の例示的な実施形態を示すフローチャート。
【発明を実施するための形態】
【００１１】
[0017]添付の図面に関して以下に記載する発明を実施するための形態は、本発明の様々な例示的な実施形態を説明するものであり、本発明が実施され得る唯一の実施形態を表すものではない。発明を実施するための形態は、本発明の完全な理解を与えるための具体的な詳細を含む。ただし、本発明はこれらの具体的な詳細なしに実施され得ることが当業者には明らかであろう。いくつかの事例では、本発明の概念を不明瞭にしないように、よく知られている構造および構成要素をブロック図の形式で示す。頭字語および他の記述的専門用語は、単に便宜および明快のために使用され得、本発明の範囲を限定するものではない。
【００１２】
[0018]「例示的」という単語は、本明細書では、例、事例、または例示の働きをすることを意味するために使用される。本明細書で「例示的」と記載されたいかなる実施形態も、必ずしも他の実施形態よりも好ましいまたは有利であると解釈されるべきであるとは限らない。同様に、装置または方法の「実施形態」という用語は、本発明のすべての実施形態が、説明する構成要素、構造、特徴、機能、プロセス、利点、利益、または動作モードを含むことを必要としない。
【００１３】
[0019]「接続された」、「結合された」という用語、またはその変形態は、２つまたはそれ以上の要素間の直接的または間接的な接続または結合を意味し、互いに「接続された」または「結合された」２つの要素間の１つまたは複数の中間要素の存在を包含することができる。
【００１４】
[0020]本明細書における「第１」、「第２」などの名称を使用した要素への言及は、それらの要素の数量または順序を概括的に限定するものでない。むしろ、これらの名称は、本明細書において２つ以上の要素またはある要素の複数の例を区別する便利な方法として使用される。したがって、第１の要素および第２の要素への言及は、２つの要素のみが採用され得ること、または第１の要素が第２の要素に先行しなければならないことを意味するものではない。
【００１５】
[0021]本明細書で使用する「備える（comprises）」、「備える（comprising）」、「含む（includes）」、および／または「含む（including）」という用語は、述べられた特徴、整数、ステップ、動作、要素、および／または構成要素の存在を明示するが、１つまたは複数の他の特徴、整数、ステップ、動作、要素、構成要素、および／またはそれらのグループの存在または追加を排除しない。
【００１６】
[0022]次に、スイッチ可能デカップリングコンデンサの様々な態様を、モバイルバッテリー電源式デバイスのためのＳＯＣのコンテキストにおいて提示する。ただし、そのような態様は、固定ロケーションを有し、および／またはバッテリー電源式でない電子デバイス（たとえば、デスクトップコンピュータ、家庭用器具など）のためのＳＯＣに拡張され得る。その上、当業者が容易に諒解するように、本開示で提示するスイッチ可能デカップリングコンデンサの様々な態様は、ＳＯＣに限定されず、他のタイプの集積回路またはチップに適用され得る。たとえば、スイッチ可能デカップリングコンデンサは、プロセッサチップ、コントローラチップ、グラフィックスチップ、デジタル信号処理チップ、特定用途向け集積回路、ビデオチップ、オーディオチップ、ワイヤレスモデムチップ、論理チップ、および／または他の好適な集積回路中で使用され得る。したがって、スイッチ可能デカップリングコンデンサのための特定の適用例への言及は、そのような態様が広範囲の適用例を有し得るという理解の下で、本発明の例示的な態様を示すものにすぎない。
【００１７】
[0023]本開示の背景技術部分において説明したように、ＳＯＣは、セルラーフォン、スマートフォン、携帯情報端末、組込みシステム、ラップトップコンピュータ、メディアプレーヤ、電子ゲームシステム、全地球測位システム、センサー、および他の好適なデバイスなどなど、モバイルバッテリー電源式デバイス中でしばしば使用される。ＳＯＣの例示的な実施形態を、図１を参照しながら提示する。ＳＯＣ１００は、ソフトウェアプログラムを実行するための中央処理ユニット（ＣＰＵ）１０２と、グラフィックスをレンダリングするためのグラフィックス処理ユニット（ＧＰＵ）１０６とを含む。システムバス（図示せず）が、ＣＰＵ１０２とＧＰＵ１０６とメモリ（図示せず）とを相互接続する。周辺バス（図示せず）が、システムバスを、集中型論理１０８、および任意の好適なエアインターフェース規格またはプロトコルをサポートするワイヤレスモデム１１０を含む様々な周辺インターフェースと相互接続する。
【００１８】
[0024]ＳＯＣ１００はまた、正の電圧レールＶDD（図示せず）と負の電圧レールＶSS（図示せず）（たとえば、接地）とを備える回路に電力を供給するための手段を含み得る。ＳＯＣ１００の少なくとも１つの例示的な実施形態では、１つまたは複数の内部（または外部）電圧調節器によって複数の電圧領域が生成され得る。２つの電圧領域間で共有されるデカップリングコンデンサ１１２は、ＳＯＣ１００上で動作している様々な回路により安定した電源を与えるために使用され得る。２つの電圧領域間でデカップリングコンデンサを共有することによって、電圧領域ごとに個別のデカップリングコンデンサを有することと比較して、ＳＯＣ上のかなりの量の表面積が節約され得る。代替的に、各電圧領域に与えられるデカップリング容量が、各電圧領域のための個々のデカップリングコンデンサに伴って必要とされるであろうＳＯＣ上の表面積を増加させることなしに、デカップリングコンデンサを共有することによって増加され得る。
【００１９】
[0025]以下でより詳細に説明するように、デカップリングコンデンサ１１２は、スイッチング中の電圧レベルの過渡変動を防止または低減するためのエネルギー備蓄として働き得る。たとえば、デカップリングコンデンサ１１２は、第１の電圧領域中で動作している他の回路への電圧の急激な降下を防止または低減するために、スリープモードからアクティブモードにスイッチしている第１の電圧領域中の回路に瞬間的な電流源を与え得る。同様に、デカップリングコンデンサ１１２は、第２の電圧領域中で動作している他の回路への電圧の急激な降下を防止または低減するために、スリープモードからアクティブモードにスイッチしている第２の電圧領域中の回路に瞬間的な電流源を与え得る。
【００２０】
[0026]図２は、ＳＯＣ上でデカップリングコンデンサを共有する異なる電力領域中で動作している２つの回路の例示的な実施形態を示す機能ブロック図である。この例では、第１の回路２０２は、データを処理するための第１の処理手段を与え、第２の回路２０４は、データを処理するための第２の処理手段を与える。第１の回路２０２は第１の電圧源ＶDD1に接続され、第２の回路２０４は第２の電圧源ＶDD2に接続される。コントローラ２０６は、第１の回路２０２と第２の回路２０４との間でデカップリングコンデンサ１１２をスイッチするための手段を与える。デカップリングコンデンサ１１２は、第１の回路２０２と第２の回路２０４とをデカップリングするための手段を与える。第１の回路２０２はＣＰＵ１０２であり得、第２の回路２０４はＧＰＵ１０６であり得る（図１参照）。ただし、当業者が容易に諒解するように、本明細書で提示するスイッチ可能デカップリングコンデンサの様々な態様は、図１に示された回路、および／またはＳＯＣもしくは他の集積回路上にあり得る他の好適な回路の任意の組合せに適用され得る。たとえば、コントローラ２０６は、ＣＰＵ１０２、ＧＰＵ１０６、メモリ（図示せず）、または回路の任意の好適な組合せ間でデカップリングコンデンサ１１２をスイッチするように構成され得る。いくつかの例示的な実施形態では、コントローラ２０６は、ＣＰＵ１０２、ＧＰＵ１０６、または他の好適な回路内にある回路間でデカップリングコンデンサ１１２をスイッチするように構成され得る。当業者は、本開示全体にわたって提示する教示に基づいて、スイッチングデカップリングコンデンサの様々な態様をＳＯＣ上の回路または他の集積回路の任意の好適な組合せに容易に適用することができよう。
【００２１】
[0027]図３Ａは、アクティブモードとスリープモードとの間で第１の回路の部分をスイッチするときのコントローラの例示的な実施形態の動作を示すフローチャートである。図２および図３Ａを参照すると、コントローラ２０６は、ブロック３０２において、第１の回路２０２と第２の回路２０４の両方がアクティブモードにあるとき、いくつかの異なる方法でデカップリングコンデンサの（１つまたは複数の）接続を構成し得る。たとえば、コントローラ２０６は、第１の電圧源ＶDD1と第２の電圧源ＶDD2の両方からデカップリングコンデンサ１１２を切断するか、または代替的に、第１の電圧源ＶDD1および第２の電圧源ＶDD2のうちの一方にデカップリングコンデンサ１１２を接続し得る。第１の電圧源ＶDD1の電圧レベルと第２の電圧源ＶDD2の電圧レベルとが等しい場合、デカップリングコンデンサ１１２は、第１の電圧源ＶDD1と第２の電圧源ＶDD2の両方にデカップリングコンデンサ１１２を接続することによって共有され得る。
【００２２】
[0028]ブロック３０４において、第１の回路２０２の部分がスリープモードに入るとき、コントローラ２０６は、デカップリングコンデンサ１１２が、第１の電圧源ＶDD1から切断され、第２の電圧源ＶDD2に接続されるように、デカップリングコンデンサの（１つまたは複数の）接続を構成する。この構成では、デカップリングコンデンサ１１２は第２の電圧源ＶDD2によって充電される。コントローラ２０６は、ブロック３０６において、第１の回路２０２のこれらの部分をアクティブモードに遷移させる直前に、第２の電圧源ＶDD2からデカップリングコンデンサ１１２を切断し、それを第１の電圧源ＶDD1に接続する。第１の回路２０２のこれらの部分によって必要とされる瞬間的な電流はデカップリングコンデンサ１１２によって供給され、それによって、第１の電圧源ＶDD1による第１の回路２０２の他の部分への電圧の急激な降下を防止または低減する。
【００２３】
[0029]第２の回路２０４の部分がアクティブモードとスリープモードとの間でスイッチされるとき、同様の動作としてが実行される。図３Ｂは、これらの条件下でのコントローラの例示的な実施形態の動作を示すフローチャートである。図２および図３Ｂを参照すると、コントローラ２０６は、図３Ａに関して上記で説明したように、ブロック３５２において、第１の回路２０２と第２の回路２０４の両方がアクティブモードにあるとき、いくつかの異なる方法でデカップリングコンデンサの（１つまたは複数の）接続を構成し得る。ブロック３５４において、第２の回路２０４の部分がスリープモードに入るとき、コントローラ２０６は、デカップリングコンデンサ１１２が、第２の電圧源ＶDD2から切断され、第１の電圧源ＶDD1に接続されるように、デカップリングコンデンサの（１つまたは複数の）接続を構成する。この構成では、デカップリングコンデンサ１１２は第１の電圧源ＶDD1によって充電される。コントローラ２０６は、ブロック３５６において、第２の回路２０４のこれらの部分をアクティブモードに遷移させる直前に、第１の電圧源ＶDD1からデカップリングコンデンサ１１２を切断し、それを第２の電圧源ＶDD2に接続する。第２の回路２０４のこれらの部分によって必要とされる瞬間的な電流はデカップリングコンデンサ１１２によって供給され、それによって、第２の電圧源ＶDD2による第２の回路２０４の他の部分への電圧の急激な降下を防止または低減する。
【００２４】
[0030]図４は、コントローラの例示的な実施形態の概略図である。コントローラ２０６は、デカップリングコンデンサ１１２と第１の電圧源ＶDD1との間の接続を制御するための手段を与える第１のスイッチ回路４０２、およびデカップリングコンデンサ１１２と第２の電圧源ＶDD2との間の接続を制御するための手段を与える第２のスイッチ回路４０４とともに示されている。第１のスイッチ回路４０２はデカップリングコンデンサ１１２と第１の回路２０２との間にあり、第２のスイッチ回路４０４はデカップリングコンデンサ１１２と第２の回路２０４との間にある。スイッチデコーダ４０６は、電力管理回路（図示せず）からのコマンドに応答して、第１のスイッチ４０２と第２のスイッチ４０４とを制御するための手段を与える。スイッチデコーダ４０６は、第１のスイッチ４０２を閉じることによってデカップリングコンデンサ１１２を第１の電圧源ＶDD1に接続し、第１のスイッチ４０２を開くことによって第１の電圧源ＶDD1からデカップリングコンデンサ１１２を切断する。同様に、スイッチデコーダ４０６は、第２のスイッチ４０４を閉じることによってデカップリングコンデンサ１１２を第２の電圧源ＶDD2に接続し、第２のスイッチ４０４を開くことによって第２の電圧源ＶDD2からデカップリングコンデンサ１１２を切断する。
【００２５】
[0031]図２、図３Ａおよび図３Ｂに関して上記で説明したように、スイッチデコーダ４０６は、第１の回路２０２と第２の回路２０４の両方がアクティブモードにあるとき、いくつかの異なる方法で第１のスイッチ４０２と第２のスイッチ４０４とを構成するためのコマンドを電力管理回路から受信する。スイッチデコーダ４０６は、第１の回路２０２の部分がスリープモードに入るとき、デカップリングコンデンサ１１２を充電するために、第１のスイッチ４０２を開き、第２のスイッチ４０４を閉じるための第１のコマンドを電力管理回路から受信する。例示的な一実施形態では、スイッチデコーダ４０６は、第１の回路２０２の部分がアクティブモードにスイッチバックするとき、最初に第２のスイッチ４０４を開き、第１のスイッチ４０２を閉じるための第２のコマンドを電力管理回路から受信する。これは、デカップリングコンデンサ１１２が、アクティブモードに遷移する第１の回路２０２の部分によって必要とされる瞬間的な電流を供給し、それによって、第１の電圧源ＶDD1に接続された第１の回路２０２の他の部分への電圧の急激な降下を防止または低減することを可能にする。第１の回路２０２全体がアクティブになった後、電力管理回路は、第１の回路２０２および第２の回路２０４の現在の動作状態をサポートするように第１のスイッチ４０２と第２のスイッチ４０４とを構成するための別のコマンドをスイッチデコーダ４０６に与える。
【００２６】
[0032]同様にして、スイッチデコーダ４０６は、デカップリングコンデンサ１１２を充電するために、第２の回路２０４の部分がスリープモードに入るとき、第１のスイッチ４０２を閉じ、第２のスイッチ４０４を開くための第１のコマンドを電力管理回路から受信する。スイッチデコーダ４０６は、第２の回路２０４の部分がアクティブモードにスイッチバックするとき、第１のスイッチ４０２を開き、第２のスイッチ４０４を閉じるための第２のコマンドを電力管理回路から受信する。これは、デカップリングコンデンサ１１２が、アクティブモードに遷移する第２の回路４０２の部分によって必要とされる瞬間的な電流を供給し、それによって、第２の電圧源ＶDD2に接続された第２の回路２０４の他の部分への電圧の急激な降下を防止または低減することを可能にする。第２の回路２０４全体がアクティブになった後、電力管理回路は、第１の回路２０２および第２の回路２０４の現在の動作状態をサポートするように第１のスイッチ４０２と第２のスイッチ４０４とを構成するための別のコマンドをスイッチデコーダ４０６にスイッチデコーダ４０６に与える。
【００２７】
[0033]第１の電圧源ＶDD1の電圧レベルと第２の電圧源ＶDD2の電圧レベルとが等しい場合、スイッチデコーダ４０６は、第１の回路２０２と第２の回路２０４との間でデカップリングコンデンサ１１２をスイッチするために、任意の順序で第１のスイッチ４０２と第２のスイッチ４０４とを開閉し得る。しかしながら、電圧源ＶDD1と電圧源ＶDD2とが等しくないとき、第１のスイッチ４０２と第２のスイッチ４０４とはブレークビフォアメーク方式で動作させられるべきである。すなわち、デカップリングコンデンサ１１２を第１の回路２０２から第２の回路２０４にスイッチするとき、デカップリングコンデンサ１１２は、第２の回路２０４に接続される前に第１の回路２０２から切断されるべきである。同様に、デカップリングコンデンサ１１２を第２の回路２０４から第１の回路２０２にスイッチするとき、デカップリングコンデンサ１１２は、第２の回路２０２に接続される前に第２の回路２０４から切断されるべきである。
【００２８】
[0034]図５は、可変抵抗スイッチをもつコントローラの例示的な実施形態の概略図である。この実施形態では、スイッチ４０２およびスイッチ４０４は、動作中にスイッチデコーダ４０６によって変化されられ得る抵抗を用いて実装される。たとえば、各スイッチは、デカップリングコンデンサ１１２を電圧源のうちの１つに接続するトランジスタの並列構成で実装され得る。図５を参照すると、第１のスイッチ４０２は、デカップリングコンデンサ１１２と第１の電圧源ＶDD1との間の並列に接続された４つのトランジスタ４０２Ａ〜４０２Ｄを用いて実装され、第２のスイッチ４０４は、デカップリングコンデンサ１１２と第２の電圧源ＶDD2との間の並列に接続された４つのトランジスタ４０４Ａ〜４０４Ｄを用いて実装される。
【００２９】
[0035]スイッチデコーダ４０６は、第１のスイッチ４０２および第２のスイッチ４０４の抵抗を、トランジスタのそれらのそれぞれの並列結合へのゲート入力を制御することによって変化させる。たとえば、スイッチデコーダ４０６は、第１のスイッチ４０２を形成するすべてのトランジスタ４０２Ａ〜４０２Ｄを無効にすることによって、第１の電圧源ＶDD1からデカップリングコンデンサ１１２を切断することができる。これは、スイッチ４０２がｎチャネルトランジスタ４０２Ａ〜４０２Ｄを用いて実装される場合、ゲートに論理レベル０を適用することによって達成され、またはスイッチ４０２がｐチャネルトランジスタ４０２Ａ〜４０２Ｄを用いて実装される場合、ゲートに論理レベル１を適用することによって達成され得る。一般に、スイッチはｐチャネルトランジスタを用いて実装される。スイッチデコーダ４０６は、（１つまたは複数の）ゲートに適用される論理レベルの極性を変更することによって、トランジスタ４０２Ａ〜４０２Ｄのうちの１つまたは複数を有効にすることによって、デカップリングコンデンサ１１２を第１の電圧源ＶDD1に接続し得る。スイッチデコーダ４０６が有効にするスイッチ４０２のトランジスタが多いほど、スイッチ４０２の抵抗は低くなる。たとえば、スイッチ４０２は、デカップリングコンデンサ１１２を第１の電圧源ＶDD1に接続するように動作するとき、４つのトランジスタ４０２Ａ〜４０２Ｄのうちの１つが有効にされた場合に最大抵抗を有し、すべての４つのトランジスタ４０２Ａ〜４０２Ｄが有効にされた場合に最小抵抗を有することになる。スイッチデコーダ４０６は、トランジスタ４０２Ａ〜４０２Ｂのうちの２つまたは３つを有効にすることによって、スイッチ４０２を最小と最大との間の抵抗に設定し得る。スイッチデコーダ４０６は、第１のトランジスタ４０２Ａ、続いて第２のトランジスタ４０２Ｂ、次いで第３のトランジスタ４０２Ｃ、および最後に第４のトランジスタ４０２Ｄを有効にすることによって、段階的な方式でトランジスタ４０２Ａ〜４０２Ｄを有効にすることによって、スイッチ４０２の抵抗を漸進的に減少させ得る。動作は、抵抗を漸進的に増加させるために反転され得る。第１のスイッチ４０２を実装するために使用される並列のトランジスタの数は、特定の適用例によって必要とされる抵抗分解能に応じて変動し得る。
【００３０】
[0036]スイッチデコーダ４０６は、同様にして第２のスイッチ４０４を動作させる。スイッチデコーダ４０６は、第２のスイッチ４０４を形成するすべてのトランジスタ４０４Ａ〜４０４Ｄを無効にすることによって、第２の電圧源ＶDD2からデカップリングコンデンサ１１２を切断する。これは、スイッチ４０４がｎチャネルトランジスタ４０４Ａ〜４０４Ｄを用いて実装される場合、ゲートに論理レベル０を適用することによって達成され、またはスイッチ４０４がｐチャネルトランジスタ４０４Ａ〜４０４Ｄを用いて実装される場合、ゲートに論理レベル１を適用することによって達成され得る。スイッチデコーダ４０６は、（１つまたは複数の）ゲートに適用される論理レベルの極性を変更することによって、トランジスタ４０４Ａ〜４０４Ｄのうちの１つまたは複数を有効にすることによって、デカップリングコンデンサ１１２を第２の電圧源ＶDD2に接続し得る。スイッチデコーダ４０６が有効にするスイッチ４０４のトランジスタが多いほど、スイッチ４０４の抵抗は低くなる。たとえば、スイッチ４０４は、デカップリングコンデンサ１１２を第２の電圧源ＶDD2に接続するように動作するとき、４つのトランジスタ４０４Ａ〜４０４Ｄのうちの１つが有効にされた場合に最大抵抗を有し、すべての４つのトランジスタ４０４Ａ〜４０４Ｄが有効にされた場合に最小抵抗を有することになる。スイッチデコーダ４０６は、トランジスタ４０４Ａ〜４０４Ｂのうちの２つまたは３つを有効にすることによって、スイッチ４０４を最小と最大との間の抵抗に設定し得る。スイッチデコーダ４０６は、第１のトランジスタ４０４Ａ、続いて第２のトランジスタ４０４Ｂ、次いで第３のトランジスタ４０４Ｃ、および最後に第４のトランジスタ４０４Ｄを有効にすることによって、段階的な方式でトランジスタ４０４Ａ〜４０４Ｄを有効にすることによって、スイッチ４０４の抵抗を漸進的に減少させ得る。動作は、抵抗を漸進的に増加させるために反転され得る。第２のスイッチ４０４を実装するために使用される並列のトランジスタの数は、特定の適用例によって必要とされる抵抗分解能に応じて変動し得る。
【００３１】
[0037]可変抵抗スイッチ４０２および４０４は、減衰を制御するためにスイッチデコーダ４０６によって使用され得る。たとえば、第１の回路２０２がアクティブモードにあり、第２の回路２０４の部分がスリープモードにあるとき、デカップリングコンデンサ１１２は、第１のスイッチ４０２によって第１の電圧源ＶDD1に接続され、第２のスイッチ４０４によって第２の電圧源ＶDD2から切断される。第１のスイッチ４０２の抵抗は、デカップリングコンデンサ１１２の低速充電を可能にするために高に設定され、それによって、キャパシタの充電によるＶDD1電圧領域における電圧の急激な降下を防止し得る。第２の回路２０４の部分がスリープモードからアクティブモードに遷移するとき、デカップリングコンデンサ１１２の接続はスイッチデコーダ４０６によってスイッチされ、デカップリングコンデンサ１１２は、第２のスイッチ４０４によって第２の電圧源ＶDD2に接続され、第１のスイッチ４０２によって第１の電圧源ＶDD1から切断される。第２のスイッチ４０４の抵抗は、ＶDD2電圧領域における電圧の急激な降下を防止するかまたは最小限に抑えるために、第２の回路２０４への急速放電経路をデカップリングコンデンサ１１２に与えるために、スイッチデコーダ４０６によって低に設定され得る。
【００３２】
[0038]同様に、第２の回路２０４がアクティブモードにあり、第１の回路２０２がスリープモードにあるとき、デカップリングコンデンサ１１２は、第２のスイッチ４０４によって第２の電圧源ＶDD2に接続され、第１のスイッチ４０２によって第１の電圧源ＶDD1から切断される。第２のスイッチ４０４の抵抗は、デカップリングコンデンサ１１２の低速充電を可能にするために高に設定され、それによって、ＶDD1電圧領域における電圧の急激な降下を防止し得る。第１の回路２０２がスリープモードからアクティブモードに遷移するとき、デカップリングコンデンサ１１２の接続はスイッチデコーダ４０６によってスイッチされ、デカップリングコンデンサ１１２は、第１のスイッチ４０２によって第１の電圧源ＶDD1に接続され、第２のスイッチ４０４によって第２の電圧源ＶDD2から切断される。第１のスイッチ４０４の抵抗は、ＶDD1電圧領域における電圧の急激な降下を防止するかまたは最小限に抑えるために、第１の回路２０２への急速放電経路をデカップリングコンデンサ１１２に与えるために、スイッチデコーダ４０６によって低に設定され得る。
【００３３】
[0039]図６は、第１の回路と第２の回路とをデカップリングする方法の例示的な実施形態を示すフローチャートである。この例では、第１の回路は第１の電圧源によって電力供給され、第２の回路は第２の電圧源によって電力供給される。本方法は、ブロック６０２において、第１の回路を用いてデータを処理することと、ブロック６０４において、第２の回路を用いてデータを処理することとを含む。本方法は、ブロック６０６において、第１の電圧源と第２の電圧源との間でデカップリングコンデンサをスイッチすることをさらに含む。
【００３４】
[0040]少なくとも１つの例示的な実施形態では、デカップリングコンデンサは、第１のスイッチング回路を用いてデカップリングコンデンサと第１の電圧源との間の接続を制御することと、第２のスイッチング回路を用いてデカップリングコンデンサと第２の電圧源との間の接続を制御することとによってスイッチされる。デカップリングコンデンサと第１の電圧源との間の接続は、第１の電圧源からデカップリングコンデンサを充電するように制御され、デカップリングコンデンサと第２の電圧源との間の接続は、充電されたデカップリングコンデンサから第２の回路に電流を供給するように制御される。たとえば、デカップリングコンデンサと第１の電圧源との間の接続は、第１の回路がアクティブモードにあり、第２の回路がスリープモードにある間、第１の電圧源からデカップリングコンデンサを充電するように制御され得、デカップリングコンデンサと第２の電圧源との間の接続は、第２の回路がスリープモードからアクティブモードに遷移されるとき、充電されたデカップリングコンデンサから第２の回路に電流を供給するように制御され得る。
【００３５】
[0041]いくつかの例示的な実施形態では、第１のスイッチング回路および第２のスイッチング回路の各々は可変抵抗を備える。可変抵抗は、上記でより詳細に説明したように、それの抵抗を変化させるように独立して制御可能な複数の並列のトランジスタによって実装され得る。この例では、デカップリングコンデンサと第１の電圧源との間の接続は、第１の抵抗を通して第１の電圧源からデカップリングコンデンサを充電するように制御され得、デカップリングコンデンサと第２の電圧源との間の接続は、第２の抵抗を通して、充電されたデカップリングコンデンサから第２の回路に電流を供給するように制御され、ここで、第１の抵抗は第２の抵抗よりも高い。たとえば、デカップリングコンデンサと第１の電圧源との間の接続は、第１の回路がアクティブモードにあり、第２の回路がスリープモードにある間、第１の電圧源からデカップリングコンデンサを緩やかに充電するように制御され得、デカップリングコンデンサと第２の電圧源との間の接続は、第２の回路がスリープモードからアクティブモードに遷移されるとき、充電されたデカップリングコンデンサから第２の回路に電流を急速に供給するように制御され得る。
【００３６】
[0042]上記で説明した動作方法におけるブロックの特定の順序または階層は、一例として与えたものにすぎない。設計選好に基づいて、動作方法におけるブロックの特定の順序または階層は、並べ替えられ、補正され、および／または変更され得る。添付の方法クレームは、動作方法に関係する様々な限定を含むが、具陳された限定は、特許請求の範囲に明記されていない限り、いかなる形でも特定の順序または階層によって限定されるものではない。
【００３７】
[0043]本開示の様々な態様は、当業者が本発明を実施することができるようにするために提供される。本開示全体にわたって提示した例示的な実施形態への様々な変更は当業者には容易に明らかであり、本明細書で開示した概念は他の磁気記憶デバイスに拡張され得る。したがって、特許請求の範囲は、本開示の様々な態様に限定されるものではなく、特許請求の範囲の文言に矛盾しない全範囲を与えられるべきである。当業者に知られている、または後に知られることになる、本開示全体にわたって説明した例示的な実施形態の様々な構成要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「ための手段」という句を使用して明確に具陳されていない限り、または方法クレームの場合には、その要素が「ためのステップ」という句を使用して具陳されていない限り、米国特許法第１１２条（ｆ）の規定の下で解釈されるべきではない。
以下に、本願出願の当初の特許請求の範囲に記載された発明を付記する。
［Ｃ１］
集積回路であって、
第１の電圧源によって電力供給されるように構成された第１の回路と、
第２の電圧源によって電力供給されるように構成された第２の回路と、
デカップリングコンデンサと、
前記第１の電圧源と前記第２の電圧源との間で前記デカップリングコンデンサをスイッチするように構成されたコントローラと、
を備える、集積回路。
［Ｃ２］
前記コントローラが、
前記デカップリングコンデンサと前記第１の電圧源との間の第１のスイッチ回路と、
前記デカップリングコンデンサと前記第２の電圧源との間の第２のスイッチ回路と、
前記第１のスイッチ回路と前記第２のスイッチ回路とを制御するように構成されたスイッチデコーダと、
を備える、Ｃ１に記載の集積回路。
［Ｃ３］
前記スイッチデコーダが、前記第１の電圧源から前記デカップリングコンデンサを充電するように前記第１のスイッチ回路を制御し、前記充電されたデカップリングコンデンサから前記第２の回路に電流を供給するように前記第２のスイッチ回路を制御するようにさらに構成された、Ｃ２に記載の集積回路。
［Ｃ４］
前記スイッチデコーダは、前記第１の回路がアクティブモードにあり、前記第２の回路がスリープモードにある間、前記第１の電圧源から前記デカップリングコンデンサを充電するように前記第１のスイッチ回路を制御し、前記第２の回路が前記スリープモードからアクティブモードに遷移するとき、前記充電されたデカップリングコンデンサから前記第２の回路に電流を供給するように前記第２のスイッチ回路を制御する、ようにさらに構成された、Ｃ２に記載の集積回路。
［Ｃ５］
前記第１のスイッチ回路および前記第２のスイッチ回路の各々が可変抵抗を備える、Ｃ２に記載の集積回路。
［Ｃ６］
前記第１のスイッチ回路および前記第２のスイッチ回路の各々が、それの前記抵抗を変化させるように前記スイッチデコーダによってそれぞれ独立して制御可能な複数の並列のトランジスタを備える、Ｃ５に記載の集積回路。
［Ｃ７］
前記スイッチデコーダが、第１の抵抗を通して前記第１の電圧源から前記デカップリングコンデンサを充電するように前記第１のスイッチ回路を制御し、第２の抵抗を通して、前記充電されたデカップリングコンデンサから前記第２の回路に電流を供給するように前記第２のスイッチ回路を制御するようにさらに構成され、前記第１の抵抗が前記第２の抵抗よりも高い、Ｃ５に記載の集積回路。
［Ｃ８］
前記スイッチデコーダは、前記第１の回路がアクティブモードにあり、前記第２の回路がスリープモードにある間、前記第１の電圧源から前記デカップリングコンデンサを充電するように前記第１のスイッチ回路を制御し、前記第２の回路が前記スリープモードからアクティブモードに遷移するとき、前記充電されたデカップリングコンデンサから前記第２の回路に電流を供給するように前記第２のスイッチ回路を制御する、ようにさらに構成された、Ｃ７に記載の集積回路。
［Ｃ９］
集積回路であって、
データを処理するための第１の処理手段、ここで、前記第１の処理手段が、第１の電圧源によって電力供給されるように構成される、と、
データを処理するための第２の処理手段、ここで、前記第２の処理手段が、第２の電圧によって電力供給されるように構成される、と、
前記第１の回路手段と前記第２の回路手段とをデカップリングするためのデカップリング手段と、
前記第１の電圧源と前記第２の電圧源との間で前記デカップリング手段をスイッチするための手段と、
を備える、集積回路。
［Ｃ１０］
スイッチするための前記手段が、
前記デカップリング手段と前記第１の電圧源との間の接続を制御するための第１のスイッチング手段と、
前記デカップリング手段と前記第２の電圧源との間の接続を制御するための第２のスイッチ手段と、
前記第１のスイッチ手段と前記第２のスイッチ手段とを制御するための手段と、
を備える、Ｃ９に記載の集積回路。
［Ｃ１１］
前記第１のスイッチ手段と前記第２のスイッチ手段とを制御するための前記手段が、前記第１の電圧源から前記デカップリング手段を充電するように前記第１のスイッチング手段を制御し、前記充電されたデカップリング手段から前記第２の処理手段に電流を供給するように前記第２のスイッチ手段を制御するようにさらに構成された、Ｃ１０に記載の集積回路。
［Ｃ１２］
前記第１のスイッチ手段と前記第２のスイッチ手段とを制御するための前記手段は、前記第１の処理手段がアクティブモードにあり、前記第２の処理手段がスリープモードにある間、前記第１の電圧源から前記デカップリング手段を充電するように前記第１のスイッチング手段を制御し、前記第２の処理手段が前記スリープモードからアクティブモードに遷移するとき、前記充電されたデカップリング手段から前記第２の処理手段に電流を供給するように前記第２のスイッチ手段を制御する、ようにさらに構成された、Ｃ１０に記載の集積回路。
［Ｃ１３］
前記第１のスイッチング手段および前記第２のスイッチング手段の各々が可変抵抗を備える、Ｃ１０に記載の集積回路。
［Ｃ１４］
前記第１のスイッチング手段および前記第２のスイッチング手段の各々が、それの前記抵抗を変化させるように、前記第１のスイッチ手段と前記第２のスイッチ手段とを制御するための前記手段によってそれぞれ独立して制御可能な複数の並列のトランジスタを備える、Ｃ１３に記載の集積回路。
［Ｃ１５］
前記第１のスイッチ手段と前記第２のスイッチ手段とを制御するための前記手段は、第１の抵抗を通して前記第１の電圧源から前記デカップリング手段を充電するように前記第１のスイッチング手段を制御し、第２の抵抗を通して、前記充電されたデカップリング手段から前記第２の処理手段に電流を供給するように前記第２のスイッチ手段を制御するようにさらに構成され、前記第１の抵抗が前記第２の抵抗よりも高い、Ｃ１３に記載の集積回路。
［Ｃ１６］
前記第１のスイッチ手段と前記第２のスイッチ手段とを制御するための前記手段は、前記第１の処理手段がアクティブ状態にあり、前記第２の処理手段がスリープモードにある間、前記第１の電圧源から前記デカップリング手段を充電するように前記第１のスイッチング手段を制御し、前記第２の処理手段が前記スリープモードからアクティブモードに遷移するとき、前記充電されたデカップリング手段から前記第２の処理手段に電流を供給するように前記第２のスイッチ手段を制御する、ようにさらに構成された、Ｃ１５に記載の集積回路。
［Ｃ１７］
第１の回路と第２の回路とをデカップリングする方法であって、
第１の電圧源によって電力供給される前記第１の回路を用いてデータを処理することと、
第２の電圧によって電力供給される前記第２の回路を用いてデータを処理することと、
前記第１の電圧源と前記第２の電圧源との間でデカップリングコンデンサをスイッチすることと、
を備える、方法。
［Ｃ１８］
前記デカップリングコンデンサが、第１のスイッチング回路を用いて前記デカップリングコンデンサと前記第１の電圧源との間の接続を制御することと、第２のスイッチング回路を用いて前記デカップリングコンデンサと前記第２の電圧源との間の接続を制御することと、によってスイッチされる、Ｃ１７に記載の方法。
［Ｃ１９］
前記デカップリングコンデンサと前記第１の電圧源との間の前記接続が、前記第１の電圧源から前記デカップリングコンデンサを充電するように制御され、前記デカップリングコンデンサと前記第２の電圧源との間の前記接続が、前記充電されたデカップリングコンデンサから前記第２の回路に電流を供給するように制御される、Ｃ１８に記載の方法。
［Ｃ２０］
前記デカップリングコンデンサと前記第１の電圧源との間の前記接続は、前記第１の回路がアクティブモードにあり、前記第２の回路がスリープモードにある間、前記第１の電圧源から前記デカップリングコンデンサを充電するように制御され、前記デカップリングコンデンサと前記第２の電圧源との間の前記接続は、前記第２の回路が前記スリープモードからアクティブモードに遷移されるとき、前記充電されたデカップリングコンデンサから前記第２の回路に電流を供給するように制御される、Ｃ１８に記載の方法。
［Ｃ２１］
前記第１のスイッチング回路および前記第２のスイッチング回路の各々が可変抵抗を備える、Ｃ１８に記載の方法回路。
［Ｃ２２］
前記第１のスイッチング回路および前記第２のスイッチング回路の各々が、それの前記抵抗を変化させるようにそれぞれ独立して制御可能な複数の並列のトランジスタを備える、Ｃ２１に記載の方法。
［Ｃ２３］
前記デカップリングコンデンサと前記第１の電圧源との間の前記接続が、第１の抵抗を通して前記第１の電圧源から前記デカップリングコンデンサを充電するように制御され、前記デカップリングコンデンサと前記第２の電圧源との間の前記接続が、第２の抵抗を通して、前記充電されたデカップリングコンデンサから前記第２の回路に電流を供給するように制御され、前記第１の抵抗が前記第２の抵抗よりも高い、Ｃ２１に記載の方法回路。
［Ｃ２４］
前記デカップリングコンデンサと前記第１の電圧源との間の前記接続は、前記第１の回路がアクティブモードにあり、前記第２の回路がスリープモードにある間、前記第１の電圧源から前記デカップリングコンデンサを充電するように制御され、前記デカップリングコンデンサと前記第２の電圧源との間の前記接続は、前記第２の回路が前記スリープモードからアクティブモードに遷移されるとき、前記充電されたデカップリングコンデンサから前記第２の回路に電流を供給するように制御される、Ｃ２３に記載の方法。
【図１】
0006419843.tif 000002
【図２】
0006419843.tif 000003
【図３Ａ】
0006419843.tif 000004
【図３Ｂ】
0006419843.tif 000005
【図４】
0006419843.tif 000006
【図５】
0006419843.tif 000007
【図６】
0006419843.tif 000008